(57)【要約】【課題】効率的に除塵しつつ通水量を大幅に増加させることを可能とする。【解決手段】水路１内の中央位置に、上流側を開口２ｃさせたエンドレス状の第１スクリーン２が設けられて、この第１スクリーン２の内面２ａで塵芥を捕捉しつつ流水を外面２ｂに通過させるとともに、第１スクリーン２の回転によって、捕捉した塵芥を水中から掻き上げて水路外に排除する第１除塵機３が設置されている一方、水路１内の両側位置に、水路１の内壁面と第１除塵機３の第１スクリーン２の開口２ｃとの間に第２スクリーン１３が設けられて、この第２スクリーン１３で塵芥を捕捉しつつ流水を第１スクリーン２の外面２ｂ側に通過させるとともに、第２スクリーン１３で捕捉した塵芥を第１スクリーン２の開口２ｃ方向に流下するように掻き取り可能な第２除塵機１２が設置されている。【選択図】　図１
2004036160.tif 000002
【特許請求の範囲】
【請求項１】
水路内の中央位置に、上流側を開口させたエンドレス状の第１スクリーンが設けられて、この第１スクリーンの内面で塵芥を捕捉しつつ流水を外面に通過させるとともに、第１スクリーンの回転によって、捕捉した塵芥を水中から掻き上げて水路外に排除する第１除塵機が設置されている一方、水路内の両側位置に、水路の内壁面と第１除塵機の第１スクリーンの開口との間に第２スクリーンが設けられて、この第２スクリーンで塵芥を捕捉しつつ流水を第１スクリーンの外面側に通過させるとともに、第２スクリーンで捕捉した塵芥を第１スクリーンの開口方向に流下するように掻き取り可能な第２除塵機が設置されていることを特徴とする除塵装置。
【請求項２】
第２除塵機の第２スクリーンは、流水方向に延在して上下方向に所定の隙間を開けて多段に積層された横バースクリーンであり、この横バースクリーンの各隙間に入り込んで延在方向に往復動する掻き取り機構が設けられている請求項１記載の除塵装置。
【請求項３】
第２スクリーンの上端と水路の上端との間に、流水のオーバーフロー部が形成されている請求項１または２記載の除塵装置。
【発明の詳細な説明】
【０００１】
【発明の属する技術分野】
本発明は、水路内の流水中の塵芥を捕捉して除去する除塵装置に関する。
【０００２】
【従来の技術】
従来、除塵装置としては、図６および図７に示すように、水路１内の中央位置に、上流側を開口させたエンドレス状の回転スクリーン（第１スクリーン）２が設けられて、この回転スクリーン２の内面２ａで塵芥を捕捉しつつ流水を外面２ｂに通過させるとともに、回転スクリーン２の回転によって、捕捉した塵芥を水中から掻き上げて水路外に排除するようにした除塵機（第１除塵機）３が設置されたものがある（特開２００２−６９９７３号公報、特開２００１−６４９４５号公報参照）。
【０００３】
具体的には、上記水路１内の両側位置に、水路１の内壁面から内方に突出する隔壁１ａが形成されるとともに、この隔壁１ａの下流側の中央位置に、閉塞壁１ｂが形成されて、この障壁１ａと閉塞壁１ｂとの間に回転スクリーン２が前開口２ｃを上流側に向けて配置され、隔壁１ａと閉塞壁１ｂに取付けられたガイド４により、回転スクリーン２の前後の開口端に取付けたエンドレスチェーン５が回転ガイドされるようになっている。なお、回転スクリーン２の後開口２ｄは閉塞壁１ｂで閉塞されることになる。
【０００４】
上記回転スクリーン２は、上部が水面上に突出するよう縦長楕円状に形成され、水面上の基板６で支持されたチェーンスプロケット７にエンドレスチェーン５の上部が噛み合わされ、電動モータ８でチェーンスプロケット７を駆動することにより、エンドレスチェーン５とともに回転スクリーン２が回転されるようになる。
【０００５】
そして、水路１内の流水は、障壁１ａの間の中央通路１ｃを通って前開口２ｃから回転スクリーン２の内面２ａに流入し、この内面２ａで塵芥が捕捉されつつ外面２ｂに通過して再び水路１内を流下するようになる。また、内面２ａで捕捉された塵芥は、回転スクリーン２の回転によって水中から掻き上げられ、スプレー装置９から噴射される水圧で吹き落されてトラフ１０に回収されるようになる。
【０００６】
【発明が解決しようとする課題】
しかしながら、上記除塵機３は、その構造上、水路１内の中央位置に回転スクリーン２を設けて、外面２ｂ側に所定の水路幅Ｗ２を確保する必要があることから、水路１の水路幅Ｗ１が隔壁１ａによって中央通路１ｃの水路幅Ｗ３に狭められるので（Ｗ１＝Ｗ２＋Ｗ３）、通水量がほぼ半減するという問題があった。
【０００７】
なお、河川主流を流下する塵芥を取水口内部に流入させるために、閉鎖防止型の多重回転円板式スクリーンユニットまたはレーキ移動式横型スクリーンユニットを設けたものも提案されているが（特開２００２−８８７４２号公報参照）。
【０００８】
本発明は、上記問題を解消するためになされたもので、効率的に除塵しつつ通水量を大幅に増加させることを可能とした除塵装置を提供することを課題とするものである。
【０００９】
【課題を解決するための手段】
上記課題を解決するために、本発明は、水路内の中央位置に、上流側を開口させたエンドレス状の第１スクリーンが設けられて、この第１スクリーンの内面で塵芥を捕捉しつつ流水を外面に通過させるとともに、第１スクリーンの回転によって、捕捉した塵芥を水中から掻き上げて水路外に排除する第１除塵機が設置されている一方、水路内の両側位置に、水路の内壁面と第１除塵機の第１スクリーンの開口との間に第２スクリーンが設けられて、この第２スクリーンで塵芥を捕捉しつつ流水を第１スクリーンの外面側に通過させるとともに、第２スクリーンで捕捉した塵芥を第１スクリーンの開口方向に流下するように掻き取り可能な第２除塵機が設置されていることを特徴とする除塵装置を提供するものである。
【００１０】
本発明によれば、第１除塵機と第２除塵機とを合理的に組合せることにより、水路内の中央位置の水流は、第１除塵機の第１スクリーンの内面で塵芥が捕捉されつつ外面に通過すると同時に、水路内の両側位置の水流は、第２除塵機の第２スクリーンで塵芥が捕捉されつつ第１スクリーンの外面側に通過するようになるから、水路全体に亘って通水できるので、通水量が大幅に増加するようになる。
【００１１】
また、第１スクリーンで捕捉された塵芥は、第１スクリーンの回転によって水中から掻き上げられて水路外に排除されるとともに、第２スクリーンで捕捉された塵芥は、第１スクリーンの開口方向に流下するように掻き取られて、第１スクリーンの内面で捕捉され、第１スクリーンの回転によって水中から掻き上げられて水路外に排除されるから、水路全体の除塵が効率的に行えるようになる。
【００１２】
請求項２のように、第２除塵機の第２スクリーンは、流水方向に延在して上下方向に所定の隙間を開けて多段に積層された横バースクリーンであり、この横バースクリーンの各隙間に入り込んで延在方向に往復動する掻き取り機構が設けられていると、第２除塵機の構成がシンプルで耐久性が向上するようになる。
【００１３】
請求項３のように、第２スクリーンの上端と水路の上端との間に、流水のオーバーフロー部が形成されていると、各スクリーンの目詰まりなどの非常時に、水路内の流水を第２スクリーンの上端からオーバーフローさせることができる。
【００１４】
【発明の実施の形態】
以下、本発明の実施の形態を図面を参照して詳細に説明する。
【００１５】
図１および図２に示すように、水路幅Ｗ１の水路１内の中央位置に第１除塵機３が設置されているとともに、この第１除塵機３の上流側における水路１内の両側位置に第２除塵機１２が設置されている。
【００１６】
第１除塵機３は、図６および図７の従来の除塵機３と基本的には同じ構成であるが、上記水路１内の両側位置に、水路１の内壁面からほぼ水路幅Ｗ２だけ隔離して、底壁面から上方に突出する支柱１ｄが形成されるとともに、この支柱１ｄの下流側の中央位置に、閉塞壁１ｂが形成されている。
【００１７】
この支柱１ｄと閉塞壁１ｂとの間にエンドレス状の第１スクリーン２が前開口２ｃを上流側に向けて配置されて、支柱１ｄと閉塞壁１ｂに取付けられたガイド４（図７参照）により、第１スクリーン２の前後の開口端に取付けたエンドレスチェーン５が回転ガイドされるようになっている。なお、回転スクリーン２の後開口２ｄは閉塞壁１ｂで閉塞されることになる。
【００１８】
第１スクリーン２は、上部が水面上に突出するよう縦長楕円状に形成され、図６および図７を参照すれば、水面上の基板６で支持されたチェーンスプロケット７にエンドレスチェーン５の上部が噛み合わされ、電動モータ８でチェーンスプロケット７を駆動することにより、エンドレスチェーン５とともに回転スクリーン２が回転されるようになる。
【００１９】
そして、水路１内の流水は、支柱１ｄの間の水路幅Ｗ３の中央通路１ｃを通って前開口２ｃから回転スクリーン２の内面２ａに流入し、この内面２ａで塵芥ｇ（図５（ａ）参照）が捕捉されつつ外面２ｂに通過して再び水路１内を流下するようになる（矢印ｐ参照）。また、内面２ａで捕捉された塵芥ｇは、回転スクリーン２の回転によって水中から掻き上げられ、スプレー装置９から噴射される水圧で吹き落されてトラフ１０に回収されるようになる。
【００２０】
なお、図６および図７の従来技術では、水路１の内壁面から内方に突出する隔壁１ａを形成していたが、本実施形態では、この隔壁１ａに代えて、水路１の内壁面からほぼ水路幅Ｗ２だけ隔離して、底壁面から上方に突出する支柱１ｄを形成した点が相違する。
【００２１】
一方、第２除塵機１２の第２スクリーン１３は、図３に示すように、流水方向に延在して上下方向に所定の隙間を開けて多段に積層された横バースクリーンで形成されている。
【００２２】
図１および図２に戻って、上記水路１内の内側壁には、水路１のほぼ上半分の位置に、内側壁と上記支柱１ｄの間を底辺として上流方向へ外向きに立ち上がった直角三角形状の有底ボックス１４が形成されて、このボックス１４の傾斜壁の開口１４ａに、水路１の内壁面と第１除塵機３の第１スクリーン２の前開口１ｃとの間を覆うように第２スクリーン１３が固定されている。なお、ボックス１４は、水路１の上半分だけでなく、下半分にも、すなわち、水路１の全高に亘るように形成して、第２スクリーン１３も全高に合わせた高さとすることもできる。
【００２３】
このボックス１４の水路１内の内側壁と支柱１ｄの間の底辺部分にも開口１４ｂが形成されて、第２スクリーン１２からボックス１４内に流入した流水は、開口１４ｂから第１スクリーン２の外面２ｂ側を通過するようになる（矢印ｑ参照）。
【００２４】
この第２スクリーン１４の上端と水路１の上端との間に、流水のオーバーフロー部１５が形成されている。
【００２５】
図３に示したように、第２スクリーン１３の各横バーの各隙間に入り込むレーキ１６が設けられ、各レーキ１６は支持プレート１７にそれぞれ取付けられて、この支持プレート１７には、シリンダ１８のピストン１８ａが連結されている。
そして、シリンダ１８のピストンロッド１８ａとともにレーキ１６が第２スクリーン１３の延在方向に往復動することにより（矢印ａ参照）、レーキ１６によって、第２スクリーン１３で捕捉された塵芥ｇが掻き取られて（矢印ｂ参照）、第１スクリーン２の前開口２ｃの方向に流下するようになる（矢印ｃ参照）。上記レーキ１６とシリンダ１８等は、掻き取り機構を構成する。
【００２６】
図４は掻き取り機構の他の実施形態であり（特開２００２−８８７４２号公報参照）、多数の円板１９を回転軸２０に固定した多重回転円板式スクリーンユニット２１（第２スクリーンに相当）を設けて、回転軸２０とともに円板１９を回転させることにより（矢印ａ参照）、円板１９で捕捉された塵芥ｇが下流方向に送られて（矢印ｂ参照）、第１スクリーン２の前開口２ｃの方向に流下するようになる（矢印ｃ参照）。
【００２７】
なお、第２除塵機１２は、第２スクリーン１３で捕捉した塵芥ｇを第１スクリーン２の開口方向に流下するように掻き取り可能な構成であれば、図３のような横バースクリーン１３とレーキ１６との組合せや図４のような多重回転円板式スクリーンユニット２１以外の構成であっても良い。
【００２８】
上記のように除塵装置を構成すれば、図５（ａ）に模式図を示すように、水路１内の中央位置の水流ｐは、前開口２ａから第１除塵機３の第１スクリーン２の内面２ａ側に流入して、この内面２ａで塵芥ｇが捕捉されつつ２分して外面２ｂに通過するようになる。
【００２９】
それと同時に、水路１内の両側位置の水流ｑは、第２除塵機１２の第２スクリーン１３で塵芥ｇが捕捉されつつほぼ真っ直ぐに第１スクリーン２の外面２ｂ側に通過するようになる。
【００３０】
したがって、比較のために示した図５（ｂ）の従来の除塵装置では、第１スクリーン２の外面２ｂ側に所定の水路幅Ｗ２を確保する必要があることから、水路１の水路幅Ｗ１が隔壁１ａによって中央通路１ｃの水路幅Ｗ３に狭められるので（Ｗ１＝Ｗ２＋Ｗ３）、通水量がほぼ半減していた。
【００３１】
これに対して、図５（ａ）の本実施形態の除塵装置では、第１除塵機３と第２除塵機１２とを合理的に組合せて、従来の除塵装置では必要であった障壁１ａの代わりに第２除塵機１２を設置したから、水路幅Ｗ１の全体に亘って通水できるので、通水量が大幅に増加するようになる。
【００３２】
また、比較のために示した図５（ｃ）（ｄ）の従来の除塵装置として、水路１の幅一杯に回転スクリーン２２を設けるものがあり、この除塵装置（ストレートフロータイプ）では、水路幅Ｗ１の全体に亘って通水できるというものの、塵芥ｄが下流側に流されるおそれが多い（いわゆる塵芥のオーバーターン）。
【００３３】
これに対して、図５（ａ）の本実施形態の第１除塵機３（ディユアルフロータイプ）では、第１スクリーン２の外面２ｂ側に所定の水路幅Ｗ２を確保する必要があるものの、第１スクリーン２の内面２ａで塵芥ｇを捕捉しつつ外面２ｂに流水を通過させるものであるから、塵芥ｇが下流側に流されることが全くないという特長を有している。
【００３４】
また、第１スクリーン２で捕捉された塵芥ｇは、第１スクリーン２の回転によって水中から掻き上げられて水路外のトラフ１０（図６参照）に排除されるとともに、第２スクリーン１３で捕捉された塵芥ｇは、第１スクリーン２の前開口２ｃの方向に流下するように掻き取られて、第１スクリーン２の内面２ａで捕捉され、第１スクリーン２の回転によって水中から掻き上げられて水路外のトラフ１０に排除されるから、水路１全体の除塵が効率的に行えるようになる。
【００３５】
さらに、第２除塵機１２の第２スクリーン１３として、横バースクリーンを採用し、この横バースクリーンの各隙間に入り込むレーキ１６とシリンダ１８等でなる掻き取り機構を設けると、第２除塵機１２の構成がシンプルで耐久性が向上するようになる。
【００３６】
さらにまた、第２スクリーン１３の上端と水路１の上端との間に、流水のオーバーフロー部１５を形成すると、各スクリーン２，１３の目詰まりなどの非常時に、水路１内の流水を第２スクリーン１３の上端からオーバーフローさせることができる。
【００３７】
【発明の効果】
以上の説明からも明らかなように、本発明は、第１除塵機と第２除塵機とを合理的に組合せることにより、水路内の中央位置の水流は、第１除塵機の第１スクリーンの内面で塵芥が捕捉されつつ外面に通過すると同時に、水路内の両側位置の水流は、第２除塵機の第２スクリーンで塵芥が捕捉されつつ第１スクリーンの外面側に通過するようになるから、水路全体に亘って通水できるので、通水量が大幅に増加するようになる。
【００３８】
また、第１スクリーンで捕捉された塵芥は、第１スクリーンの回転によって水中から掻き上げられて水路外に排除されるとともに、第２スクリーンで捕捉された塵芥は、第１スクリーンの開口方向に流下するように掻き取られて、第１スクリーンの内面で捕捉され、第１スクリーンの回転によって水中から掻き上げられて水路外に排除されるから、水路全体の除塵が効率的に行えるようになる。
【００３９】
さらに、第２除塵機の第２スクリーンを横バースクリーンとして、この横バースクリーンに掻き取り機構を設けると（請求項２）、第２除塵機の構成がシンプルで耐久性が向上するようになる。
【００４０】
さらにまた、第２スクリーンの上端と水路の上端との間に、流水のオーバーフロー部を形成すると（請求項３）、各スクリーンの目詰まりなどの非常時に、水路内の流水を第２スクリーンの上端からオーバーフローさせることができる。
【図面の簡単な説明】
【図１】除塵装置であり、（ａ）は（ｂ）のＡ−Ａ線断面図、（ｂ）は側面断面図である。
【図２】除塵装置の正面断面図である。
【図３】第２除塵機であり、（ａ）は要部斜視図、（ｂ）は平面断面図である。
【図４】変形例の第２除塵機であり、（ａ）は平面図、（ｂ）は多重回転円板式スクリーンユニットの正面図である。
【図５】除塵装置であり、（ａ）は本発明にかかる除塵装置の平面模式図、（ｂ）は第１従来技術の除塵装置の平面模式図、（ｃ）は第２従来技術の除塵装置の平面模式図、（ｄ）は（ｃ）の回転スクリーンの側面図である。
【図６】従来の第１除塵機の斜視図である。
【図７】従来の除塵装置の平面模式図である。
【符号の説明】
１　　水路
２　　第１スクリーン
２ａ　内面
２ｂ　外面
２ｃ　前開口
３　　第１除塵機
１２　第２除塵機
１３　第２スクリーン
【図１】
2004036160.tif 000003
【図２】
2004036160.tif 000004
【図３】
2004036160.tif 000005
【図４】
2004036160.tif 000006
【図５】
2004036160.tif 000007
【図６】
2004036160.tif 000008
【図７】
2004036160.tif 000009